(57)【要約】【課題】ショーケースの庫内に装備した商品陳列棚の棚板から商品整列ガイド用の仕切ワイヤが不用意に抜け外れたり，脱落しないように仕切ワイヤの係止構造を改良する。【解決手段】棚ブラケット６を介して前傾姿勢に支持したケース本体の庫内に装備したショーケースの商品陳列棚５であって、その棚板５ａに対し、該棚板の前縁に付設したワイヤ支持フレーム５ｂと棚板の背壁との間に架設して商品７を棚板の傾斜面に沿って前後に整列ガイドする仕切ワイヤ５ｄを備えたものにおいて、仕切ワイヤ５ｄを線細工ばねとしてその前端を鋭角なＶ字形に屈曲して鉤状のフック部５ｄ−１を形成した上で、該仕切ワイヤの後端を棚板の背壁に穿孔したワイヤ支持穴に嵌挿し、ワイヤを凹状に撓ませながら前端のフック部を前記フレームの頂面に穿孔したワイヤ支持穴に上方から差し込んで係止固定する。【選択図】図１
2007325649.tif 000002
【特許請求の範囲】
【請求項１】
上下段に並べてケース本体の庫内に装備したショーケースの商品陳列棚であり、前傾姿勢で棚ブラケットに支持した棚板に対し、該棚板の前縁に沿って付設したワイヤ支持フレームと棚板の背壁との間に架設して陳列商品を棚板の傾斜面に沿って整列ガイドする仕切ワイヤを備えたものにおいて、
前記仕切ワイヤの前端に鉤状のフック部を屈曲形成した上で、該仕切ワイヤの後端を棚板の背壁に穿孔したワイヤ支持穴に嵌挿し、前端のフック部を前記フレームの頂面に穿孔したワイヤ支持穴に上方から差し込み係合して所定位置に係止固定したことを特徴とするショーケースの商品陳列棚。
【請求項２】
請求項１に記載の商品陳列棚において、仕切ワイヤが線細工ばねであり、その後端を前方より棚板の背壁に穿孔したワイヤ支持穴に嵌挿してフレームとの間に架け渡した上で、その長手方向でワイヤを凹状に撓ませながら先端フック部をフレームのワイヤ支持穴に嵌入して棚板に係止固定したことを特徴とするショーケースの商品陳列棚。
【発明の詳細な説明】
【技術分野】
【０００１】
本発明は、缶，ビン，ペットボトルなどの商品を展示販売するショーケースの商品陳列棚に関する。
【背景技術】
【０００２】
頭記ショーケースの商品陳列棚として、所謂「商品の先入れ，先出し」に対応してショーケースの庫内に棚ホルダを介して前傾姿勢に支持した棚板を装備するとともに、該棚板上に陳列した商品を棚板の傾斜面に沿い一列ずつ左右分けて整列ガイドするように仕切ワイヤを備えた構成のものが公知である（例えば、特許文献１参照）。
次に、前記ショーケースの全体構造，および商品陳列棚の構造を図３〜図５に示す。先ず、図３において、１は断熱筐体になる前面開放形のケース外箱、２は内箱、３は外箱２と内箱３との間に画成した冷気循環路に配した冷却器（冷凍機のエバポレータ）、４は冷気循環の送風ファンであり、ケース本体の庫内には上下段に並ぶ商品陳列棚５が棚ホルダ６を介して前傾姿勢に支持されており、この商品陳列棚５に缶，ビン，ペットボトルなどの商品７が後記のように整列して陳列される。
【０００３】
また、前記の商品陳列棚５は、図４で示すように、トレイ形の棚板５ａと、該棚板５ａの前縁に付設したワイヤ支持フレーム５ｂと、フレーム５ｂに植設したワイヤフェンス５ｃと、フレーム５ｂの頂面と棚板５ａの背壁との間に跨がり左右に並べて架設した仕切ワイヤ５ｄからなり、この仕切ワイヤ５ａで左右を仕切られた区画ごとに商品７を前後に並べて陳列するようにしている。
ここで、仕切ワイヤ５ｄはそのワイヤ前端をＬ字形に屈曲したフック部５ｄ−１が形成されている。一方、棚板５ａの背壁には定ピッチ間隔にワイヤ支持穴５ａ−１が、またこのワイヤ支持穴５ａ−１の配列に合わせてのワイヤ支持フレーム５ｂ（断面コ字形のチャンネル材）の頂面にはワイヤ支持穴５ｂ−１が穿孔されている。
そして、棚板５ａに仕切ワイヤ５ｄを架設するには、仕切ワイヤ５ｄの後端を前方から前記ワイヤ支持穴５ａ−１に嵌挿した上で、前端のＬ形フック部５ｄ−１を上方からフレーム５ｂに穿孔したワイヤ支持穴５ｂ−１に落とし込んで指定した位置に係止固定する。
【０００４】
図５（ａ）は上記構成の商品陳列棚５に商品７を陳列した状態を表しており、ここで客が棚の最前列に並ぶ商品７を取り出すと、その後方に並ぶ商品７が棚板５ａの傾斜面を滑動して最前列の位置に移動して商品の「先入れ，先出し」が行われる。
【特許文献１】特開２００５−３２８９５９号公報（図３，図４）
【発明の開示】
【発明が解決しようとする課題】
【０００５】
ところで、前記した従来構造の商品陳列棚は、実使用面で次記のような問題点がある。すなわち、図５に示す商品陳列の状態で、最前列に並ぶ商品７を上方に引き上げて取り出す際に商品７の取出し姿勢が左右に傾いたりすると、商品が仕切ワイヤ５ｄに引っ掛かって仕切ワイヤのフック部５ｄ−１がフレーム５ｂのワイヤ支持穴５ｂ−１から不用意に抜け出してしまうことがある。しかもこの抜け出し状態を放置したままにしておくと、仕切ワイヤの整列ガイド機能が働かなくなって棚板５ａの上に陳列した商品の整列が乱れたり、状況によっては仕切ワイヤ５ｄが棚板５ａから抜けて脱落してしまうおそれもある。
本発明は上記の点に鑑みなされたものであり、その目的は前記課題を解決して棚板からの仕切ワイヤの抜け出し，脱落を防ぐように仕切ワイヤの係止構造を改良したショーケースの商品陳列棚を提供することにある。
【課題を解決するための手段】
【０００６】
上記目的を達成するために、本発明によれば、上下段に並べてケース本体の庫内に装備したショーケースの商品陳列棚であって、棚ブラケットを介して前傾姿勢に支持した棚板に対し、該棚板の前縁に沿って付設したワイヤ支持フレームと棚板の背壁との間に架設して陳列商品を棚板の傾斜面に沿って整列ガイドする仕切ワイヤを備えたものにおいて、
前記仕切ワイヤの前端に鉤状のフック部を屈曲形成した上で、該仕切ワイヤの後端を棚板の背壁に穿孔したワイヤ支持穴に嵌挿し、前端のフック部を前記フレームの頂面に穿孔したワイヤ支持穴に上方から差し込み係合して所定位置に係止固定するようにし（請求項１）、具体的には線ばね材で前記の仕切ワイヤを作製し、そのワイヤ後端を前方より棚板の背壁に穿孔したワイヤ支持穴に嵌挿してフレームとの間に架け渡した上で、その長手方向でワイヤを凹状に撓ませながら先端フック部をフレームのワイヤ支持穴に嵌入して棚板に係止固定するものとする（請求項２）。
【発明の効果】
【０００７】
上記の構成によれば、仕切ワイヤを棚板に係止固定した状態で陳列商品を取り出す際に商品が仕切ワイヤに引っ掛かっても、仕切ワイヤの前端に形成した鉤状のフック部がワイヤ支持フレームの穴から抜け出すおそれがなく信頼性が向上する。
しかも、線ばね材で作られた仕切ワイヤを棚板に架設する際に、そのワイヤ後端を前方より棚板の背壁に穿孔したワイヤ支持穴に嵌挿してフレームとの間に架け渡した上で、仕切ワイヤの長手方向の中間部位を押し込みながらワイヤを凹状に撓ませることにより、その前端に形成した鉤状フック部が上向きになるので、これによりフック部をフレームの頂面に穿孔したワイヤ支持穴へ簡単に嵌入して係止固定することができる。
【発明を実施するための最良の形態】
【０００８】
以下、本発明の実施の形態を図１（ａ），（ｂ）および図２に示す実施例に基づいて説明する。なお、実施例の図中で図４，図５に対応する部材には同じ符号を付してその説明は省略する。
すなわち、商品陳列棚５の棚構造は基本的に従来構造と同様であるが、棚板５の前後端縁の間に架設した仕切ワイヤ５ｄは線ばね材（ピアノ線）を素材として、その前端には図１（ｂ）の拡大図で示すようにワイヤを鋭角なＶ字状に折り曲げ加工した鉤状のフック部５ｄ−１が形成されている。
そして、この仕切ワイヤ５ｄを棚板５ａに係止固定するには、その取付け手順として、先ず仕切ワイヤ５ｄの後端を前方から棚板５ａの背壁に穿孔したワイヤ取付穴５ａ−１（図４参照）に嵌挿し、前端に形成した鉤状のフック部５ｄ−１を下に向けてワイヤ支持フレーム５ｂの頂面に載せる。この状態で、次にワイヤの長手方向の中間部位に上方から指を押し当て、ここに力Ｆを加えてワイヤを図２の鎖線位置から実線で表すように凹状に撓ませると、横向きのフック部５ｄ−１が上を向くようになる。これにより、フック部５ｄ−１のワイヤ先端を上方からフレーム５ｂの頂面に穿孔したワイヤ支持穴５ｂ−１（図４参照）へ簡単に差し込むことができる。そして、差し込んだ後に仕切ワイヤ５ｄから手を離すと、ワイヤ自身が弾性復元して直線状に戻り、同時に鉤状のフック部５ｄ−１が図１（ｂ）で示すような横向きになってフレーム５ｂに係止固定される。
【０００９】
この係止固定状態では、仕切ワイヤ５ｄに上向きの外力が加わっても鉤状のフック部５ｄ−１がフレーム５ｂの穴から抜け出すことがない。したがって、陳列商品７を取り出す際に、商品が仕切ワイヤ５ｄに引っ掛かっても不用意に仕切ワイヤ５ｄのフック部５ｄ−１がフレーム５ｂから外れたり、仕切ワイヤ５ｄが棚板５ａから脱落するおそれがなくなって信頼性が向上する。
【図面の簡単な説明】
【００１０】
【図１】本発明の実施例による商品陳列棚の構成図で、（ａ）は側面図、（ｂ）は（ａ）における棚前部の部分拡大図
【図２】図１の構成で仕切ワイヤの前端フック部を棚板側のフレームに係止固定する取付け作業手順の説明図
【図３】庫内に商品陳列棚を装備したショーケース全体の構成を表す側視断面図
【図４】図３における商品陳列棚の従来構造を表す外形斜視図
【図５】図４の商品陳列棚に商品を収納した陳列状態を表す図で、（ａ）は棚全体の側面図、（ｂ）は（ａ）におけるＡ部の拡大図
【符号の説明】
【００１１】
１    ショーケースのケース外箱
５    商品陳列棚
５ａ  棚板
５ａ−１  ワイヤ支持穴
５ｂ  ワイヤ支持フレーム
５ｂ−１  ワイヤ支持穴
５ｃ  ワイヤフェンス
５ｄ  仕切ワイヤ
５ｄ−１  フック部
６    棚ブラケット
７    商品
【図１】
2007325649.tif 000003
【図２】
2007325649.tif 000004
【図３】
2007325649.tif 000005
【図４】
2007325649.tif 000006
【図５】
2007325649.tif 000007